(57)【要約】      （修正有）【課題】形状が可変であり、蒸散性と断熱性を有し、建設後に残置することが可能な型枠用に使用される独自の動的モジュール式構成システムを、土台の補強構造、支柱、独立基礎、耐震性の隔壁構造物に簡単かつ即時的に応用する目的で提供する。【解決手段】蒸散性と断熱性を有し、形状が可変である型枠用の、全ての形状の土台補強、支柱、独立基礎、および耐震性の隔壁構造物を補強するために使用される動的モジュール式構成システム１に関し、システムはそのような補強のための垂直部材用の少なくとも１つの案内面１０と、そのような案内面１０用の少なくとも１つの支持ブラケット３０と、を含み、前記ブラケット３０はそのような案内面１０をそのような蒸散性と断熱性を有し、建設後に残置することが可能な型枠に対して設置することを可能にするのに適している。【選択図】図６
2018162660.tif 000002
【特許請求の範囲】
【請求項１】
土台、支柱、独立式基礎、耐震性の隔壁構造物を補強するために使用され、これらの中に残置可能な蒸散性と断熱性を有する可変形状の型枠用に意図される動的モジュール式構成システム（１）であって、前記構成システム（１）が、
前記補強に関連する垂直要素の少なくとも１つの案内面（１０）と、
前記案内面（１０）の少なくとも１つの支持ブラケット（３０）と、
を含み、前記支持ブラケット（３０）は、前記案内面（１０）を蒸散性と断熱性を有し、建設後に残置可能な前記型枠に対して設置することを可能にするのに適しており、
前記支持ブラケット（３０）が、前記蒸散性と断熱性を有し、残置可能な型枠と少なくとも１つのパネルとの間の接続状態を形成するのに適した１つの接続部分（３１）から構成され、
前記接続部分（３１）が、前記案内面（１０）の少なくとも１つの縁部を支持するのに適した少なくとも１つの支持部分（３３）と接続され、
前記接続部分（３１）が、実質的にＴ字型の形状となるように成形された少なくとも１つのロックイン形状部（３５’、３５’’、３５’’’）を含み、
前記支持部分（３３）が、前記案内面（１０）の少なくとも１つの縁部を支持するのに適した少なくとも１つの支持ブラケット（３７’、３７’’、３７’’’）を含み、
前記支持ブラケット（３０）は、予め確立された切込み線（Ｔ’、Ｔ’’）を間に配置することによって互いに接続された複数のモジュール（Ａ’、Ａ’’、Ａ’’’）から構成され、
前記モジュール（Ａ’、Ａ’’、Ａ’’’）のそれぞれが、実質的にＴ字型の形状となるように成形された前記ロックイン形状部（３５’、３５’’、３５’’’）の少なくとも１つ、少なくとも１つの各弾性ピン（３９’、３９’’、３９’’’）を有する前記支持ブラケット（３７’、３７’’、３７’’’）の少なくとも１つ、および少なくとも１つの支持サドル（４１’、４１’’、４１’’’）から構成される、
ことを特徴とする、動的モジュール式構成システム（１）。
【請求項２】
請求項１に記載の動的モジュール式構成システム（１）において、前記案内面（１０）が、複数の鉄骨案内用テーパ状ブッシュ貫通開口部（１３）と、１つまたはいくつかの前記支持ブラケット（３０）による前記案内面（１０）の拘束された接続を可能にするのに適した複数の接続座部（１５）とを備えた１つの支持面（１１）から構成されることを特徴とする、動的モジュール式構成システム（１）。
【請求項３】
請求項１又は２に記載の動的モジュール式構成システム（１）において、前記支持ブラケット（３７’、３７’’、３７’’’）に、前記案内面（１０）の前記接続座部（１５）の１つの内側に嵌合するのに適した少なくとも１つの弾性ピン（３９’、３９’’、３９’’’）が装備されることを特徴とする、動的モジュール式構成システム（１）。
【請求項４】
請求項１に記載の動的モジュール式構成システム（１）において、少なくとも１つの支持サドル（４１’、４１’’、４１’’’）が、前記接続部分（３１）と前記支持部分（３３）の間に配置されることを特徴とする、動的モジュール式構成システム（１）。
【請求項５】
請求項１に記載の動的モジュール式構成システム（１）において、前記支持ブラケット（３０）が、少なくとも１つの端部開口（４５）を通って前記接続部分（３１）から延びる蒸散ダクトと接続するために使用される少なくとも１つの接続手段（４３）を含むことを特徴とする、動的モジュール式構成システム（１）。
【請求項６】
請求項１に記載の動的モジュール式構成システム（１）において、実質的にＴ字型の形状となるように成形された前記ロックイン形状部（３５’、３５’’、３５’’’）に、１つの切込み線（４９’、４９’’、４９’’’）に沿った少なくとも１つの取り外し可能なタブ（４７’、４７’’、４７’’’）が装備されることを特徴とする、動的モジュール式構成システム（１）。
【請求項７】
請求項１に記載の動的モジュール式構成システム（１）において、前記動的モジュール式構成システム（１）が、国際接続規格に準拠して前記支柱を前記土台に完全に固定することを可能にするのに適した少なくとも１つのモジュール式固定グリッド（４０）を含むことを特徴とする、動的モジュール式構成システム（１）。
【請求項８】
請求項１に記載の動的モジュール式構成システム（１）において、前記動的モジュール式構成システム（１）が、前記支柱の１つの構造を、その周縁部に沿って囲むのに適した少なくとも１つの独特なモジュール式包囲システム（５０）を含むことを特徴とする、動的モジュール式構成システム（１）。
【請求項９】
請求項８に記載の動的モジュール式構成システム（１）において、前記モジュール式包囲システム（５０）が、
少なくとも１つの締結ネジを挿入するための各中央セルの内側スロットに対する手段を備えた、ネジ付きヘッド部を備えた横材（５１）と、
蝶型頭部ネジまたはボルトを用いて前記ヘッド部にねじ留めされるのに適した少なくとも１つの角度付き接合要素（５３）と、
を含むことを特徴とする、動的モジュール式構成システム（１）。
【請求項１０】
請求項９に記載の動的モジュール式構成システム（１）において、前記モジュール式包囲システム（５０）が、スナップ式嵌め込みロックと下側および上側らせん状歯部とを特徴とする少なくとも１つの複合要素（５５）を含むことを特徴とする、動的モジュール式構成システム（１）。
【請求項１１】
請求項８に記載の動的モジュール式構成システム（１）において、前記モジュール式包囲システム（５０）が、
倍数および約数によって特徴づけられ、少なくとも１つのモジュール式可逆チェーン・ピッチ規制要素（５７）を含み、前記モジュール式可逆チェーン・ピッチ規制要素（５７）が、少なくとも１つの締結ねじを挿入することを可能にする中央穿孔を有することを特徴とすることを特徴とする、動的モジュール式構成システム（１）。
【請求項１２】
請求項８に記載の動的モジュール式構成システム（１）において、前記独特のモジュール式包囲システム（５０）が、
１つの締結ネジを挿入するための各中央セルの内側スロットに対する手段を備えた、歯付きスナップ式嵌め込みロックを特徴とするヘッド部を備えた横材（５９）と、
前記横材（５９）の前記ヘッド部の少なくとも１つの締付け要素（６１）と、
を含むことを特徴とする、動的モジュール式構成システム（１）。
【請求項１３】
請求項１に記載の動的モジュール式構成システム（１）において、動的モジュール式構成システム（１）が、
現場で直接、構造ブラケット、ロッドおよび／またはＩＰＥ  ＵＰＮ  Ｔなどの矩形要素から構成される足場の４つの補強された部品を作製するために、複数のコネクタ、プレート、構造ブラケット要素および断熱パネルを組み立てることを可能にする
ことを特徴とする、動的モジュール式構成システム（１）。
【請求項１４】
請求項１に記載の動的モジュール式構成システム（１）において、前記動的モジュール式構成システム（１）が、
耐火性と点状強度および圧縮構造強度とに関する国際規格によって定められるような鉄骨の分布配置状態を保証するために、補強用の鉄骨の全てを、長手方向および垂直方向の両方で、少なくとも２５ｍｍの緊密なピッチによって、すなわち、実測寸法での配置が前記ピッチの倍数および約数となるように、完全に位置決め規制するのに適していることを特徴とする、動的モジュール式構成システム（１）。
【請求項１５】
請求項１に記載の動的モジュール式構成システム（１）において、前記動的モジュール式構成システム（１）が、
耐火性と地震作用下の構造強度とに関する国際規格によって定められるような鉄骨の分布配置状態を保証するために、Ｕ型構造ブラケットであって前記Ｕ字構造ブラケットに近接する前記第２の構造ブラケットとの１つの重複状態のために少なくとも４５°で曲げられた部分を有する前記Ｕ型構造ブラケットの全てを、垂直位置および傾斜位置の両方で、少なくとも２５ｍｍの緊密なピッチによって、すなわち、実測寸法で前記ピッチの倍数および約数に等しい配置となるように、完全に位置決め規制するのに適している
ことを特徴とする、動的モジュール式構成システム（１）。
【発明の詳細な説明】
【技術分野】
【０００１】
本発明は、可変形状型枠用の、あらゆる形状の土台、支柱、独立基礎、耐震性の隔壁構造物を補強するために使用されるモジュール式構成システムに関する。
【背景技術】
【０００２】
注目すべき点として、型枠は鉄筋コンクリート建物を建てるために建築および建設業界で使用される構造物であるという点が挙げられる。型枠は、補強用の鉄骨が適切に位置付けられ、かつそれらの付属構造ブラケットで共に結合されたあと、液状の追加のコンクリートが流し込まれるケーシングを提供する。そして、流し込まれたコンクリートの固化状態が一旦始まると、コンクリートの凝結プロセスが完了するまでコンクリートはケーシング中に存在し続け、それにより、従来式の型枠自体が取り外された直後に構造物が耐えなければならない大きさの応力の吸収を保証するような機械的強度をコンクリートが得るようになる。
【０００３】
型枠はいくつかの材料から作製可能であり、特に、建設後に残置することが可能な型枠が建築目的および建設目的に現在使用される（特に、一方向性のロフトビルおよび組積造を建築するために使用される）。「建設後に残置することが可能な」型枠は、中空部分を有することを特徴とするブロック、断熱コンクリート型枠（ＩＣＦ：Ｉｎｓｕｌａｔｅｄ  Ｃｏｎｃｒｅｔｅ  Ｆｏｒｍ）と一般に呼ばれる技法を用いて作製されるポリスチレン発泡パネル、およびそれらに用いる各スペーサコネクタから構成され、それらは、鉄筋コンクリート壁の型枠を構成する様々な前述のパネルの組立ておよび内部ブロックに必要な構成部材であって、一度のプレス加工で同時に打抜き成形される（ｃｏ−ｓｔａｍｐｅｄ）使い捨て可能なものである。
【０００４】
かなりの程度まで現在簡単に使用されているコネクタであるにもかかわらず、支柱を補強するための鉄骨（当該鉄骨は典型的には鋼製ロッドの形態である）を位置付けるための、（据付けだが）建設後に残置することが可能な型枠の組立て、以下の２つの方法に従って補強ロッドの長手方向および垂直方向に沿った位置決め作業を本質的に必要とする従来方法がなおも適用されている。
−鉄骨は個々に挿入され、その後、補強用の鉄骨に沿って配置される水平足場（一般に四角形に折られるロッドから作製される）を構成する複数のブラケットに結合されることによって所望の位置に保持される：そのような旧式のシステムは、より長い凝結時間と、熟練を要する労働を当然必要とする。
−補強は、前もって溶接された、または軟鉄線を用いて結合された足場からなり、それは矩形の垂直鉄材と水平規制構造物を含む：この場合、そのような足場の搬送は、足場がその重量および寸法と比べて（幅および長さの両方に関して）かなりかさばるので、かなり費用がかかる。
【発明の概要】
【０００５】
従って本発明の目的は、形状が可変であり、蒸散性と断熱性を有し、建設後に残置することが可能な型枠用に使用される独自の動的モジュール式構成システムを、土台の補強構造、支柱、独立基礎、耐震性の隔壁構造物に簡単かつ即時的に応用する目的で提供することによって、旧式の方法に関連する上述の問題を解決することであり、当該システムは、関連部分および形状にかかわらず、簡単、便利かつ迅速に、補強鉄材をそのような支柱に適するようにし得る。
【０００６】
本発明の１つのさらなる目的は、形状が可変であり、蒸散性と断熱性を有し、建設後に残置することが可能な型枠用に使用され、大幅に変化する設計要件に従って簡単に適所に配置され得るモジュール要素から構成される動的モジュール式構成システムを提供することであり、土台、支柱、独立基礎、耐震性の隔壁構造物のいずれか１つの形態を補強するためのそのようなモジュール式構成要素は、それらが軽量モジュールであるため簡単に運ぶことができ、かつ互いに重ね合わせることで非常に小さい体積とすることができ、後者の特性は、特に空間が居住者に占められる中心地区において明白な建設上の利点を実際に与えることによって、環境保護と、地盤の緩んだ領域に位置する建築現場における実際の利用との両方を保証するのに有利である。
【０００７】
さらに、本発明の１つの目的は、形状が可変であり、蒸散性と断熱性を有し、建設後に残置することが可能な型枠用の、多数の土台、支柱、独立基礎、耐震性の隔壁構造物の補強材を組み立てるための動的モジュール式構成システムを提供することであり、当該システムは、大幅に変化し得る構造設計要件に従って簡単に位置付けられ、かつまた所与の測定基準の下で一定の配置間隔となるように簡単に組み立てることができる要素から構成され、均質な強度を保証し、実際にまた、安全性および建築現場を保証する。
【０００８】
本発明の上記および他の目的および利点は、以下の記載で詳述されるように、請求項１に記載のもののような、形状が可変であり、蒸散性と断熱性を有し、建設後に残置することが可能な型枠用に使用され、土台、支柱、独立基礎、耐震性の隔壁構造物を補強することを応用目的とする動的モジュール式構成システムを使用することによって達成され得る。本発明の好ましい実施形態の設計および最初の変形形態は、関連請求項の目的であり得る。
【０００９】
当然のことながら、本発明の保護の範囲から逸脱することなく、添付の請求項中で参照されるような、多数の変形形態および修正形態を記載の物品に対して作ることができる（例えば、いくつかの断熱パネルを可変ピッチの補強材の各々で連結することに関連する変形形態および修正形態、ならびに等価機能を実行する形状寸法、配置および部品に関連する変形形態および修正形態）。
【００１０】
本発明はいくつかの好ましい実施形態により最良に記載され得る。好ましい実施形態は、添付の図面を参照して、例によって、および限定せずに提供され得る。
【図面の簡単な説明】
【００１１】
【図１】図１は、本発明に従い、形状が可変であり、蒸散性と断熱性を有し、建設後に残置することが可能な型枠用に意図され、いくつかの種類の土台、支柱、独立基礎、耐震性の隔壁構造物を補強するのを応用目的に使用される動的モジュール式構成システムを構成する要素の好ましい実施形態に関連する上面斜視図を示す。
【図２】図２は、図１に示された要素の上面斜視図を示す。
【図３】図３は、本発明に従い、形状が可変であり、蒸散性と断熱性を有し、建設後に残置することが可能な型枠用に意図され、様々な種類の土台、支柱、独立基礎、耐震性の隔壁構造物を補強するのを応用目的に使用される動的モジュール式構成システムを構成する別の要素および／またはコネクタの好ましい実施形態に関連する上面斜視図を示す。
【図４】図４は、図３に示された多機能接続要素の正面図を示す。
【図５】図５は、図３に示された多機能接続要素の側面図を示す。
【図６】図６は、１つの可能な設置構造に従って組み立てられたおよび／または関連付けられた、本発明に従うシステムに関連する多機能接続要素の上面斜視図を示す。
【図７】図７は、１つの別の可能な設置構造に従って組み立てられたおよび／または関連付けられた、本発明に従う動的構成システムに関連する接続要素の底面斜視図を示す。
【図８】図８は、本発明に従う可変形状の型枠用に意図された、様々な種類の土台、支柱、独立式基礎、耐震性の隔壁構造物を補強するのを応用目的に使用される動的モジュール式構成システムを構成する垂直補強材を基部が一体的に位置決め規制するための別のグリッド要素に関連する好ましい実施形態の底面斜視図を示す。
【図９】図９は、本発明に従う可変形状の型枠用に意図された、様々な種類の土台、支柱、独立式基礎、耐震性の隔壁構造物を補強するのを応用目的に使用される動的モジュール式構成システムを構成する包囲システムの好ましい実施形態の上面斜視図を示す。
【図１０】図１０は、本発明に従う可変形状の型枠用に意図された、様々な種類の土台、支柱、独立式基礎、耐震性の隔壁構造物を補強するのを応用目的に使用される動的モジュール式構成システムを構成する包囲システムの好ましい実施形態の上面斜視図を示す。
【図１１】図１１は、本発明に従う可変形状の型枠用に意図された、様々な種類の土台、支柱、独立式基礎、耐震性の隔壁構造物を補強するのを応用目的に使用される動的モジュール式構成システムを構成する包囲システムの好ましい実施形態の上面斜視図を示す。
【図１２】図１２は、本発明にて参照されるモジュール式構成システムおよび支持ブラケットの側面図を示す。
【図１３】図１３は、本発明にて参照されるモジュール式構成システムおよび支持ブラケットの斜視図を示す。
【図１４】図１４は、本発明にて参照されるモジュール式構成システムおよび支持ブラケットの斜視図を示す。
【図１５】図１５は、本発明にて参照されるモジュール式構成システムおよび支持ブラケットの斜視図を示す。
【発明を実施するための形態】
【００１２】
図面を参照することにより以下のことを理解することができる。すなわち、形状が可変であり、蒸散性と断熱性を有し、建設後に残置することが可能な型枠用に意図され、様々な種類の土台、支柱、独立式基礎、耐震性の隔壁構造物（さらに、これらは複合的形状によって特徴づけられ、かつ傾斜、垂直または水平位置に配設される構造物である）を補強するのを応用目的に使用される動的モジュール式構成システム１が、そのような補強を構成する垂直部材（以後、簡潔に「鉄骨」と呼ぶ）用の少なくとも１つの案内面１０と、そのような面１０用の少なくとも１つの支持ブラケット３０とを含み、そのような支持ブラケット３０は、形状が可変であり、蒸散性と断熱性を有し、建設後に残置することが可能な型枠（不図示）、特に断熱性コンクリート型枠（ＩＣＦ：Ｉｎｓｕｌａｔｅｄ  Ｃｏｎｃｒｅｔｅ  Ｆｏｒｍ）工法に従ってＥＰＳポリスチレン発泡パネルから作製された型枠に対する案内面１０の導入を可能にするのに適している。
【００１３】
特に図１および２を参照することによって、以下を理解することができる。すなわち、案内面１０は、複数の鉄骨案内用テーパ状ブッシュ貫通開口部１３を備えた支持面１１から構成され、その内側には、補強用の鉄骨および複数の接続座部１５の両方を挿入可能であり、複数の接続座部１５はかかる支持面１１の縁部に沿って配置されると好ましく、それは１つまたはいくつかの支持ブラケット３０による案内面１０の完全に拘束された接続を可能にするのに適している。当然のことながら、そのような鉄骨案内用テーパ状ブッシュ貫通開口部１３の、および接続座部１５の個数、寸法、形状および幾何学的配置は、本発明の保護の範囲から逸脱することなく、ほとんど変えてもよい。
【００１４】
鉄骨案内用貫通開口部１３は好ましくは、（同じ直径にもかかわらず）その内側に配置される補強用の鉄骨を中心位置に位置決めするのに適した弾性タブ１４として画定されるような円錐形状を特徴とするべきである。さらに、弾性タブ１４は、コンクリートが完全に鉄骨を包むこと（ひいては適切な接着）と、複数の鉄骨のコンクリート内での分布配置状態に関する国際規格および規則への準拠とを保証する。さらに、案内面１０の鉄骨案内用貫通開口部１３の中に配置された弾性タブ１４は、鉄骨自体を収容するように適切に成形されている。なお、鉄骨が垂直に配置される矩形ロッドであり、および／または鉄骨がＩＰＥ、ＨＥ、ＵＰＮ−Ｔのいずれか１つと等しい直径を有している場合には、（矩形のＩＰＥ、ＨＥ、ＵＰＮ−Ｔ棒材が有する様々な種類の形状に正確に対応する）弾性タブ１４の独特の形状は、鉄骨を周囲から完全に引っかけて保持することを可能にし、および追加のコンクリートが流し込まれると同じ弾性タブ１４が構造要素をしっかりと保持し得る。
【００１５】
充填段階の間、鉄骨案内用テーパ状ブッシュ貫通開口部１３を備えた案内面１０の使用、ならびに中粒〜微粒混合物を特徴とする適切に充填されたコンクリートの使用は、鉄骨案内用テーパ状ブッシュ貫通開口部１３自体の中の垂直補強材および水平補強材の完全な結合により適切な補強材の分布配置と組み合わせられると、製造された物品が高い構造強度、防火性（ＲＥＩ）および耐久性を特徴とすることを生産的に可能にし得る。さらに、本発明において参照されるシステムの案内プレート１０のおかげで、垂直の鉄骨が、鉄骨案内用テーパ状ブッシュ貫通開口部１３の内側のみに配設されることを考慮することによって、下記が保証される。すなわち、長手方向に延びる補強用の鉄骨のうち隣接する２本の鉄骨の間に回り込むコンクリートの回り込み量が、最小値である２．５ｃｍとなることが鉄骨の直径と無関係に保証され、従って、より高い構造強度およびＲＥＩ防火性が保証され、その結果、製造された物品の明らかにより長い耐久性が保証される。
【００１６】
特に、図３〜図５で理解できるように、支持ブラケット３０が、案内面１０の少なくとも１つの縁部を支持するのに適した少なくとも１つの支持部分３３と接続される、蒸散性と断熱性を有し、建設後に残置可能な型枠の少なくとも１つのパネルに対して接続状態を形成するのに適した、１つの接続部分３１から構成される。
【００１７】
明らかなように、接続部分３１には、任意の１つの接続手段が装備されてもよく、本発明の保護の範囲から逸脱することなく、この接続手段は、機械的接続手段、すなわち、任意の１つのロックイン形状部であり、本発明において参照される動的構成システムの支持ブラケット３０を、関連業界で知られる任意の１つの形態のパネルに設けられた対応するロックイン形状部と接続することを可能にし得る。具体的には、接続部分３１は、実質的にＴ字形状に成形された少なくとも１つのロックイン形状部（３５’、３５’’、３５’’’）を含み、上記のロックイン形状部（３５’、３５’’、３５’’’）は、パネル側において対応するＴ字形状に成形されたロックイン形状部に挿入されるのに適しており、このようなパネルの形態は、関連する業界で知られている殆ど全ての種類のパネル（ＥＰＦ製さえも）に見られる。ロックイン形状部には、パネル側のロックイン形状部内部へのその挿入を容易にするために、徐々に幅広となるように適切に形成された少なくとも１つの下側部分が装備され得る。
【００１８】
支持部分３３は、代わりに、案内面１０の少なくとも１つの縁部を支持するのに適した少なくとも１つの支持ブラケット３７’、３７’’、３７’’’を含み得、そのような支持ブラケット３７’、３７’’、３７’’’には、例えば案内面１０の接続座部１５の１つの内側に嵌め込まれ、かつまた弾性ピン３９’、３９’’、３９’’’自体の弾性による膨張力のせいで、接続座部の内側を機械的干渉によりしっかりと把持するのに適したａｌ弾性ピン３９’、３９’’、３９’’’などの少なくとも１つの接続手段が装備されると好ましい。
【００１９】
少なくとも１つの支持サドル４１’、４１’’、４１’’’が、接続部分３１と支持部分３３の間に配置され得ると好ましく、そのような支持サドルは、特定の直径に限定されることなしに、水平に配置された１つまたはいくつかの補強用の鉄骨を、拘束された態様で支持するのに適している。
【００２０】
さらに、支持ブラケット３０は、接続部分３１から少なくとも１つの端部開口４５を通って延びる蒸散ダクト（不図示）との接続に使用される１つの接続手段４３を含んでもよく、そのような蒸散ダクトは、（必要ならば）１つの逆止弁（不図示）を間に配置することによって、明らかに発生し得る圧力差の効果によって、（蒸散性と断熱性を有し、建設後に残置可能な）型枠のパネルを通り抜けて、補強材の内側から外側へと向かう蒸散を生産的に可能にするのに適している。
【００２１】
図に示されるものなど、本発明において参照される動的構成システムに関する支持ブラケット３０の好ましい一実施形態では、以下のことを理解することができる。すなわち、支持ブラケット３０自体は、予め確定された切込み線Ｔ’、Ｔ’’を間に配置することによって互いに接続された複数のモジュールから構成されてもよく（例えば、図に示す支持ブラケット３０は３個のモジュールＡ’、Ａ’’、Ａ’’’から構成される）、上記のモジュールＡ’、Ａ’’、Ａ’’’のそれぞれは、実質的にＴ字型の形状に成形されたそのようなロックイン形状部（３５’、３５’’、３５’’’）の少なくとも１つと、必要に応じて少なくとも１つの各弾性ピン３９’、３９’’、３９’’’を備えたそのような支持ブラケット３７’、３７’’、３７’’’の少なくとも１つと、必要に応じて少なくとも１つの支持サドル４１’、４１’’、４１’’’とから構成される。結果として、例えば、支持ブラケット３０のモジュールＡ’は、実質的にＴ字型の形状に成形された一つのロックイン形状部から、ならびに弾性ピン３９’を備えた支持ブラケット３７’および支持サドル４１’から構成される。また、モジュールＡ’’’は、実質的にＴ字型の形状に成形された一つのロックイン形状部３５’’から、ならびに弾性ピン３９’’を備えた支持ブラケット３７’’および支持サドル４１’’から構成される。また、モジュールＡ’’’は、実質的にＴ字型の形状に成形されたｌロックイン形状部３５’’’、弾性ピン３９’’’を備えた支持ブラケット３７’’’および支持サドル４１’’’から構成される。
【００２２】
明らかに、各動的構成モジュールは、例えば、１つの形状部、１つの支持ブラケットおよび１つのサドルのみから構成されるが、支持ブラケット３０は、本発明の保護の範囲から逸脱することなく、前述の要素を異なる数量で有する他の任意の形状をとってもよく、各モジュールに従い互いに異なっていることさえ可能であることは当然予測できる。
【００２３】
従ってこの特徴は、本発明において参照される構成システム１の高度な動的およびモジュール式設置を可能にし得る。実際、支持ブラケット３０は、特別な構造要件に従って、１つの完全な物品として使用され得るか、より小さい寸法を特徴とする支持ブラケット３０を得るために予め確立された切込み線Ｔ’、Ｔ’’に沿って分離されることによって分解され得る。さらに、補強用の鉄骨の正確な位置決めを一層保証するために、実質的にＴ字型の形状に成形された同じロックイン形状部３５’、３５’’、３５’’’に、各々が個別に取り外し可能な少なくとも１つのタブ４７’、４７’’、４７’’’が取り付けられてもよい。具体的には、除去可能タブ４７’、４７’’、４７’’’は、一旦ロックイン形状部３５’、３５’’、３５’’’がパネル本体のロックイン形状部の各々に挿入されると、実質的にＴ字型の形状に成形されたロックイン形状部（３５’、３５’’、３５’’’）から取り外すことができるようになっている。具体的には、除去可能タブ４７’、４７’’、４７’’’は、蒸散性と断熱性を有し「建設後に残置可能な」型枠のパネルに沿って位置決めされる支持ブラケット３０の高さ位置を変更するように、および／または、案内面１０の（高さ方向に沿った）高精度な位置決めを可能にするように、切込み線４９’、４９’’、４９’’’に沿って分解することによってロックイン形状部（３５’、３５’’、３５’’’）から取り外すことができる。さらに、案内面１０には、閉鎖されたおよび／または開放されたＵ字形状の鋼構造ブラケットを水平に収容可能であり、そのような鋼構造ブラケットは、完全に重ね合わせるために端部に設けた適切な４５°の曲折部分（不図示）を特徴として有し、かつ特別な弾性ピンによってしっかり拘束される。
【００２４】
特に図６および７を参照することによって、複数の案内パネル１と支持ブラケット３０とから構成される型枠（不図示）内部の、本発明において参照される動的構成システム１の可能な設置構造を理解することができる。
【００２５】
特に図８で理解できるように、本発明において参照される動的構成システムはまた、土台への完全な支柱の固定を可能にするのに適した少なくとも１つのモジュール式固定グリッド４０を含んでもよい。
【００２６】
さらに、特に図９、図１０および図１１で理解できるように、様々な案内面１０の間の接続状態を確実なものとするのを保証するために、本発明において参照される動的構成システムはまた、案内面１０および支持ブラケット３０を用いて得られる支柱構造を（枠体の周縁に沿って）囲むのに適した少なくとも１つの完全モジュール式包囲システム５０を含む。図９に示されるものなどの第１の好ましい実施形態において、モジュール式包囲システム５０は、ネジ付きヘッド部を装備されたハニカム状横材５１と、少なくとも１つの角度付き接合要素５３と、を含む。ここで、ハニカム状横材５１は、追加のコンクリートを流し込む際の圧力に対するその強度を保証するために（蒸散性と断熱性を有し、建設後に残置可能な）型枠のパネルに嵌め込まれたコネクタの支柱にねじ込まれる少なくとも１つの締結ネジを挿入するための各中央セルの内側スロットへの手段を備えている。また、角度付き接合要素５３は、差し込みマウントを用いてスナップ式に嵌め込みされるのに適した構成を有し、および／または、角度付き接合要素５３は、前記ヘッド部に蝶型頭部ネジもしくはボルトを用いてねじ込まれるのに適した構成を有する。モジュール式包囲構成システム５０はまた、スナップ式嵌め込みロックならびに下側および上側に設けられた螺旋状歯部を特徴的部分として有する１つの複式構成部材５５を含む。ここで、複式構成部材５５は、蒸散性と断熱性を有し、建設後に残置可能な型枠の、および／または従来式の型枠のピッチおよび寸法を調整するため、ならびに横材５１を確実に位置決め規制するための構成部材である。
【００２７】
図１０に示されるものなどの別の好ましい実施形態によれば、モジュール式包囲システム５０は、コンクリート製の隔壁構造物または支柱に関して構造上の制限なく、任意の１つの寸法を得るために（さらには、所定の寸法の倍数および約数に等しい寸法をも得るために）組み立てることができ、ピッチに基づく位置決め規制を行うための少なくとも１つのモジュール式可逆チェーン要素５７を含む。さらに、動的モジュール式チェーン要素５７は、追加のコンクリートを流し込む際の圧力に対するその強度を保証するために、パネルに嵌め込まれたコネクタの支柱にねじ込まれる少なくとも１つの締結ねじの挿入を可能にする中央穿孔を有することを特徴とする。ピッチに基づく位置決め規制のための動的モジュール式チェーン要素５７は、楕円、円形、六角形および八角形部分を特徴とする支柱、および任意の１つの部分を特徴とする離間用部材を補強するように特に意図されているが、異なる形状をいっさい制限しないことは明白である。
【００２８】
図１１に示されるものなどの別の好ましい一実施形態によれば、動的モジュール式包囲システム５０はヘッド部が装備されたハニカム状横材５９を含み、ヘッド部は、歯付きスナップ式嵌め込みロックと、追加のコンクリートを流し込む際の圧力に対するその強度を保証するために、少なくとも１つの締結ネジを挿入するための各中央セルの内側スロットへの手段と、横材５９のヘッド部の締付け要素６１と、を含み、上述した締結ネジは、パネルに嵌め込まれるコネクタの支柱にねじ込まれるようになっていることを特徴とし、そのような締付け要素６１は、当該物品を組み付ける作業者自身の作業現場における安全を保証するために、円形形状とするのが好ましいことを特徴とする。
【００２９】
図１２〜１５は、本発明中参照される動的モジュール式構成システム１および支持ブラケット３０の斜視図および側面図を示す。具体的には、支持ブラケット３０は、図１７にはっきり示されるように、補強用の鉄骨を完全に支持するためにビーム９０と結合されて示される。
【図１】
2018162660.tif 000003
【図２】
2018162660.tif 000004
【図３】
2018162660.tif 000005
【図４】
2018162660.tif 000006
【図５】
2018162660.tif 000007
【図６】
2018162660.tif 000008
【図７】
2018162660.tif 000009
【図８】
2018162660.tif 000010
【図９】
2018162660.tif 000011
【図１０】
2018162660.tif 000012
【図１１】
2018162660.tif 000013
【図１２】
2018162660.tif 000014
【図１３】
2018162660.tif 000015
【図１４】
2018162660.tif 000016
【図１５】
2018162660.tif 000017
【図１６】
2018162660.tif 000018
【図１７】
2018162660.tif 000019
【図１８】
2018162660.tif 000020
【図１９】
2018162660.tif 000021
【図２０】
2018162660.tif 000022
【図２１】
2018162660.tif 000023
【図２２】
2018162660.tif 000024
【図２３】
2018162660.tif 000025
【図２４】
2018162660.tif 000026
【図２５】
2018162660.tif 000027
【図２６】
2018162660.tif 000028
【図２７】
2018162660.tif 000029
【図２８】
2018162660.tif 000030
【図２９】
2018162660.tif 000031
【図３０】
2018162660.tif 000032
【図３１】
2018162660.tif 000033
【図３２】
2018162660.tif 000034
【図３３】
2018162660.tif 000035
【図３４】
2018162660.tif 000036
【図３５】
2018162660.tif 000037
【図３６】
2018162660.tif 000038
【手続補正書】
【提出日】平成30年9月11日(2018.9.11)
【手続補正１】
【補正対象書類名】図面
【補正対象項目名】図１６
【補正方法】削除
【補正の内容】
【手続補正２】
【補正対象書類名】図面
【補正対象項目名】図１７
【補正方法】削除
【補正の内容】
【手続補正３】
【補正対象書類名】図面
【補正対象項目名】図１８
【補正方法】削除
【補正の内容】
【手続補正４】
【補正対象書類名】図面
【補正対象項目名】図１９
【補正方法】削除
【補正の内容】
【手続補正５】
【補正対象書類名】図面
【補正対象項目名】図２０
【補正方法】削除
【補正の内容】
【手続補正６】
【補正対象書類名】図面
【補正対象項目名】図２１
【補正方法】削除
【補正の内容】
【手続補正７】
【補正対象書類名】図面
【補正対象項目名】図２２
【補正方法】削除
【補正の内容】
【手続補正８】
【補正対象書類名】図面
【補正対象項目名】図２３
【補正方法】削除
【補正の内容】
【手続補正９】
【補正対象書類名】図面
【補正対象項目名】図２４
【補正方法】削除
【補正の内容】
【手続補正１０】
【補正対象書類名】図面
【補正対象項目名】図２５
【補正方法】削除
【補正の内容】
【手続補正１１】
【補正対象書類名】図面
【補正対象項目名】図２６
【補正方法】削除
【補正の内容】
【手続補正１２】
【補正対象書類名】図面
【補正対象項目名】図２７
【補正方法】削除
【補正の内容】
【手続補正１３】
【補正対象書類名】図面
【補正対象項目名】図２８
【補正方法】削除
【補正の内容】
【手続補正１４】
【補正対象書類名】図面
【補正対象項目名】図２９
【補正方法】削除
【補正の内容】
【手続補正１５】
【補正対象書類名】図面
【補正対象項目名】図３０
【補正方法】削除
【補正の内容】
【手続補正１６】
【補正対象書類名】図面
【補正対象項目名】図３１
【補正方法】削除
【補正の内容】
【手続補正１７】
【補正対象書類名】図面
【補正対象項目名】図３２
【補正方法】削除
【補正の内容】
【手続補正１８】
【補正対象書類名】図面
【補正対象項目名】図３３
【補正方法】削除
【補正の内容】
【手続補正１９】
【補正対象書類名】図面
【補正対象項目名】図３４
【補正方法】削除
【補正の内容】
【手続補正２０】
【補正対象書類名】図面
【補正対象項目名】図３５
【補正方法】削除
【補正の内容】
【手続補正２１】
【補正対象書類名】図面
【補正対象項目名】図３６
【補正方法】削除
【補正の内容】
【外国語明細書】
2018162660.tif 000039
2018162660.tif 000040
2018162660.tif 000041
2018162660.tif 000042
2018162660.tif 000043
2018162660.tif 000044
2018162660.tif 000045
2018162660.tif 000046
2018162660.tif 000047
2018162660.tif 000048
2018162660.tif 000049
2018162660.tif 000050
2018162660.tif 000051
2018162660.tif 000052
2018162660.tif 000053
2018162660.tif 000054
2018162660.tif 000055
2018162660.tif 000056
2018162660.tif 000057
2018162660.tif 000058
2018162660.tif 000059
2018162660.tif 000060
2018162660.tif 000061
2018162660.tif 000062
2018162660.tif 000063
2018162660.tif 000064
2018162660.tif 000065
2018162660.tif 000066
2018162660.tif 000067
2018162660.tif 000068
2018162660.tif 000069
2018162660.tif 000070
2018162660.tif 000071
2018162660.tif 000072
2018162660.tif 000073
2018162660.tif 000074
2018162660.tif 000075
2018162660.tif 000076
2018162660.tif 000077
2018162660.tif 000078
2018162660.tif 000079
2018162660.tif 000080
2018162660.tif 000081
2018162660.tif 000082
2018162660.tif 000083
2018162660.tif 000084